(57)【要約】      （修正有）【課題】表示画像の色を表現するパラメータを直接に提示する場合と比べ、表示画像の色の相違を分かり易く表示する。【解決手段】経時的に異なる２つの時点における１台の画像表示装置であることを含む２台の画像表示装置それぞれの測色値である第１の測色値と第２の測色値とを取得する取得部５１と、第１の測色値および第２の測色値に基づいて、２台の画像表示装置のそれぞれに表示される白を代表する第１の指標値と２台の画像表示装置のそれぞれに表示されるカラー色を代表する第２の指標値とを算出する算出部５２と、第１の指標値を変数とする第１の軸と第２の指標値を変数とする第２の軸とで表わした２次元図表上に、２台の画像表示装置のそれぞれについて算出した第１の指標値と第２の指標値とからなる座標点を表示する表示部５３とを備えた。【選択図】図４
2018050142.tif 000002
【特許請求の範囲】
【請求項１】
経時的に異なる２つの時点における１台の画像表示装置であることを含む２台の画像表示装置それぞれの測色値である第１の測色値と第２の測色値とを取得する取得部と、
前記第１の測色値および前記第２の測色値に基づいて、前記２台の画像表示装置のそれぞれに表示される白を代表する第１の指標値と前記２台の画像表示装置のそれぞれに表示されるカラー色を代表する第２の指標値とを算出する算出部と、
前記第１の指標値を変数とする第１の軸と前記第２の指標値を変数とする第２の軸とで表わした２次元図表上に、前記２台の画像表示装置のそれぞれについて算出した第１の指標値と第２の指標値とからなる座標点を表示する表示部とを備えたことを特徴とする指標表示装置。
【請求項２】
前記表示部が、前記２次元図表上にさらに、前記２台の画像表示装置の色再現の許容誤差範囲を表示することを特徴とする請求項１記載の指標表示装置。
【請求項３】
前記算出部が、前記第１の画像表示装置の白の測色値を該第１の画像表示装置および前記第２の画像表示装置の双方に適用したときの該第１の画像表示装置と該第２の画像表示装置との間の色差を、前記第１の指標値とするとともに、前記第１の画像表示装置については該第１の画像表示装置の白の測色値を適用するとともに前記第２の画像表示装置については該第２の画像表示装置の白の測色値を適用したときの該第１の画像表示装置と該第２の画像表示装置との間の色差を、前記第２の指標値とすることを特徴とする請求項１または２に記載の指標表示装置。
【請求項４】
前記算出部が、前記第１の画像表示装置の白の測色値を該第１の画像表示装置および前記第２の画像表示装置の双方に適用したときの該第１の画像表示装置と該第２の画像表示装置との間の色差を、前記第１の指標値とするとともに、前記第１の画像表示装置については該第１の画像表示装置の白の測色値を適用するとともに前記第２の画像表示装置については該第２の画像表示装置の白の測色値を適用したときの該第１の画像表示装置と該第２の画像表示装置との間の特定の色の色差を、前記第２の指標値とすることを特徴とする請求項１または２に記載の指標表示装置。
【請求項５】
前記算出部が、白の明るさを前記第１の指標値とするとともに、ＸＹＺ表色系におけるＸおよびＺを変数として含む関数値を前記第２の指標値とすることを特徴とする請求項１または２に記載の指標表示装置。
【請求項６】
前記関数値が、Ｘ／Ｚ若しくはＺ／Ｘを含む関数の値であることを特徴とする請求項５に記載の指標表示装置。
【請求項７】
前記算出部が、前記第１の画像表示装置の明度を基準としたときの該第１の画像表示装置および前記第２の画像表示装置それぞれの明度を前記第１の指標値とするとともに、前記第１の画像表示装置については該第１の画像表示装置の白の測色値を適用するとともに前記第２の画像表示装置については該第２の画像表示装置の白の測色値を適用したときの該第１の画像表示装置と該第２の画像表示装置との間の色差を、前記第２の指標値とすることを特徴とする請求項１または２に記載の指標表示装置。
【請求項８】
１台の画像表示装置に設定されるべき基準値と、前記基準値が設定された後の画像表示装置の測色値とを取得する取得部と、
前記基準値および前記測色値に基づいて、前記画像表示装置に表示される白を代表する第１の指標値と前記画像表示装置に表示されるカラー色を代表する第２の指標値とを算出する算出部と、
前記第１の指標値を変数とする第１の軸と前記第２の指標値を変数とする第２の軸とで表わした２次元図表上に、前記画像表示装置について算出した第１の指標値と第２の指標値とからなる座標点を表示する表示部とを備えたことを特徴とする指標表示装置。
【請求項９】
プログラムを実行する情報処理装置内で実行され、該情報処理装置を、
経時的に異なる２つの時点における１台の画像表示装置であることを含む２台の画像表示装置それぞれの測色値である第１の測色値と第２の測色値とを取得する取得部と、
前記第１の測色値および前記第２の測色値に基づいて、前記２台の画像表示装置のそれぞれに表示される白を代表する第１の指標値と前記２台の画像表示装置のそれぞれに表示されるカラー色を代表する第２の指標値とを算出する算出部と、
前記第１の指標値を変数とする第１の軸と前記第２の指標値を変数とする第２の軸とで表わした２次元図表上に、前記２台の画像表示装置のそれぞれについて算出した第１の指標値と第２の指標値とからなる座標点を表示する表示部とを備えた指標表示装置として動作させることを特徴とする指標表示プログラム。
【発明の詳細な説明】
【技術分野】
【０００１】
本発明は、指標表示装置および指標表示プログラムに関する。
【背景技術】
【０００２】
従来より、例えばパーソナルコンピュータ（以下、「ＰＣ」と略記する）用のディスプレイに表示される画像の色を校正する、いわゆるカラーマネジメントが行われている。このカラーマネジメントでは、一般的に、そのディスプレイの入力データを様々に変化させてそのディスプレイに様々な色の画像を表示させ、その様々な色の画像を測色計で測色し、そのディスプレイで所望の色の画像が表示されるように入力データを変換するカラープロファイルが作成される。そして、作成したカラープロファイルの精度を確認するにあたっては、「輝度」あるいは「明度」、「色温度」、「色差」など、表示画像の色を表現するパラメータについて、それぞれの値が目標値と比較され、どの程度の差異があるかが評価される。
【０００３】
特許文献１には、色温度調整装置に表示されたｘｙ色度図上のポインタの位置を調整することで、モニタの色温度を調整することが提案されている。
【先行技術文献】
【特許文献】
【０００４】
【特許文献１】特開２０１１−０９１６９０号公報
【発明の概要】
【発明が解決しようとする課題】
【０００５】
ここで、カラーマネジメントが正しく行われたディスプレイを出荷した後、そのディスプレイの表示画像の色が経時的に変化してきて、色の校正（カラーマネジメント）を再度行う必要があるか否かを判断する場面について考察する。
【０００６】
出荷前に行われるカラーマネジメントは、専門的な知識を有するメーカ側の人間によって行われる。これに対し、表示画像の色が変化してきたか否かは、一般のユーザによって判断されることになる。表示画像の色が変化してきたか否かを判断するために、測色によって、前述の「輝度」あるいは「明度」、「色温度」、「色差」などといったパラメータの値を得て目標値と対比しても、カラーマネジメントについての専門的な知識に乏しいかも知れない一般のユーザにとっては、どの程度の差異ならば色の経時変化が小さいと言えるのか、あるいは色が経時的に大きく変化してきているかを判断するのが難しいという問題がある。
【０００７】
ここでは、１台のディスプレイの経時変化を取り上げて説明したが、経時的に異なる２つの時点の１台のディスプレイではなく、２台のディスプレイの表示画像の色が十分に一致しているか否かを判断する場面や、さらに、１台のディスプレイにｓＲＧＢ  Ｃｏｌｏｒ  Ｓｐａｃｅ（ＩＥＣ  ６１９６６−２−１）に代表されるモニター標準色空間を設定したときに、実際にディスプレイに表示される色が十分に前記標準色と一致しているか否かを判断する場合でも同様の問題が生じるおそれがある。
【０００８】
また、ここでは、ＰＣ用のディスプレイを取り上げて説明したが、上記の問題は、ＰＣ用とは限らず、ディスプレイ全般にあてはまる問題である。さらには、ディスプレイとは限らず、プロジェクタによって投影された画像と手元のディスプレイに表示された画像との色が合っているか否か等、画像表示装置一般にあてはまる問題である。
【０００９】
本発明は、上記事情に鑑み、表示画像の色を表現するパラメータを直接に提示する場合と比べ、表示画像の色の相違を分かり易く表示する指標表示装置および指標表示プログラムを提供することを目的とする。
【課題を解決するための手段】
【００１０】
請求項１は、
経時的に異なる２つの時点における１台の画像表示装置であることを含む２台の画像表示装置それぞれの測色値である第１の測色値と第２の測色値とを取得する取得部と、
前記第１の測色値および前記第２の測色値に基づいて、前記２台の画像表示装置のそれぞれに表示される白を代表する第１の指標値と前記２台の画像表示装置のそれぞれに表示されるカラー色を代表する第２の指標値とを算出する算出部と、
前記第１の指標値を変数とする第１の軸と前記第２の指標値を変数とする第２の軸とで表わした２次元図表上に、前記２台の画像表示装置のそれぞれについて算出した第１の指標値と第２の指標値とからなる座標点を表示する表示部とを備えたことを特徴とする指標表示装置である。
【００１１】
請求項２は、
前記表示部が、前記２次元図表上にさらに、前記２台の画像表示装置の色再現の許容誤差範囲を表示することを特徴とする請求項１記載の指標表示装置である。
【００１２】
請求項３は、
前記算出部が、前記第１の画像表示装置の白の測色値を該第１の画像表示装置および前記第２の画像表示装置の双方に適用したときの該第１の画像表示装置と該第２の画像表示装置との間の色差を、前記第１の指標値とするとともに、前記第１の画像表示装置については該第１の画像表示装置の白の測色値を適用するとともに前記第２の画像表示装置については該第２の画像表示装置の白の測色値を適用したときの該第１の画像表示装置と該第２の画像表示装置との間の色差を、前記第２の指標値とすることを特徴とする請求項１または２に記載の指標表示装置である。
【００１３】
請求項４は、
前記算出部が、前記第１の画像表示装置の白の測色値を該第１の画像表示装置および前記第２の画像表示装置の双方に適用したときの該第１の画像表示装置と該第２の画像表示装置との間の色差を、前記第１の指標値とするとともに、前記第１の画像表示装置については該第１の画像表示装置の白の測色値を適用するとともに前記第２の画像表示装置については該第２の画像表示装置の白の測色値を適用したときの該第１の画像表示装置と該第２の画像表示装置との間の特定の色の色差を、前記第２の指標値とすることを特徴とする請求項１または２に記載の指標表示装置である。
【００１４】
請求項５は、
前記算出部が、白の明るさを前記第１の指標値とするとともに、ＸＹＺ表色系におけるＸおよびＺを変数として含む関数値を前記第２の指標値とすることを特徴とする請求項１または２に記載の指標表示装置である。
【００１５】
請求項６は、
前記関数値が、Ｘ／Ｚ若しくはＺ／Ｘを含む関数の値であることを特徴とする請求項５に記載の指標表示装置である。
【００１６】
請求項７は、
前記算出部が、前記第１の画像表示装置の明度を基準としたときの該第１の画像表示装置および前記第２の画像表示装置それぞれの明度を前記第１の指標値とするとともに、前記第１の画像表示装置については該第１の画像表示装置の白の測色値を適用するとともに前記第２の画像表示装置については該第２の画像表示装置の白の測色値を適用したときの該第１の画像表示装置と該第２の画像表示装置との間の色差を、前記第２の指標値とすることを特徴とする請求項１または２に記載の指標表示装置である。
【００１７】
請求項８は、
１台の画像表示装置に設定されるべき基準値と、前記基準値が設定された後の画像表示装置の測色値とを取得する取得部と、
前記基準値および前記測色値に基づいて、前記画像表示装置に表示される白を代表する第１の指標値と前記画像表示装置に表示されるカラー色を代表する第２の指標値とを算出する算出部と、
前記第１の指標値を変数とする第１の軸と前記第２の指標値を変数とする第２の軸とで表わした２次元図表上に、前記画像表示装置について算出した第１の指標値と第２の指標値とからなる座標点を表示する表示部とを備えたことを特徴とする指標表示装置である。
請求項９は、
プログラムを実行する情報処理装置内で実行され、該情報処理装置を、
経時的に異なる２つの時点における１台の画像表示装置であることを含む２台の画像表示装置それぞれの測色値である第１の測色値と第２の測色値とを取得する取得部と、
前記第１の測色値および前記第２の測色値に基づいて、前記２台の画像表示装置のそれぞれに表示される白を代表する第１の指標値と前記２台の画像表示装置のそれぞれに表示されるカラー色を代表する第２の指標値とを算出する算出部と、
前記第１の指標値を変数とする第１の軸と前記第２の指標値を変数とする第２の軸とで表わした２次元図表上に、前記２台の画像表示装置のそれぞれについて算出した第１の指標値と第２の指標値とからなる座標点を表示する表示部とを備えた指標表示装置として動作させることを特徴とする指標表示プログラムである。
【発明の効果】
【００１８】
請求項１および８の指標表示装置および請求項９の指標表示プログラムによれば、白を代表する第１の指標値とカラー色を代表する第２の指標値を算出して、画像表示装置の表示画像の色の状態を２次元図表上の座標点として表示するため、表示画像の色を表現するパラメータを直接に提示する場合と比べ、表示画像の色の相違が分かり易く表示される。
【００１９】
請求項２の指標表示装置によれば、許容誤差範囲を表示しない場合と比べ、一般的な許容限界を容易に知ることができる。
【００２０】
請求項３乃至請求項７は、第１の指標値および第２の指標値の具体的な算出方法を示した請求項であり、表示画像の色を表現するパラメータを直接に提示する場合と比べ、表示画像の色の相違が分かり易く表示される。
【図面の簡単な説明】
【００２１】
【図１】測色・指標表示システムの概要図である。
【図２】ＸＹＺデータの概念図である。
【図３】指標表示プログラムのフローチャートを示した図である。
【図４】指標表示装置のブロック図である。
【図５】「色差（相対）」を縦軸とし、「色差（絶対）」を横軸とする２次元図表の一例を示した図である。
【図６】「色差（相対）」を縦軸とし、「赤の色差（絶対）」を横軸とする２次元図表の一例を示した図である。
【図７】輝度Ｙｗを縦軸とし、カラーバランスＸｗ／Ｚｗを横軸とする２次元図表に一例を示した図である。
【図８】明度（相対）を縦軸とし「色差（絶対）」を横軸とした２次元図表を示した図である。
【発明を実施するための形態】
【００２２】
以下、本発明の実施の形態について説明する。
【００２３】
図１は、測色・指標表示システムの概要図である。
【００２４】
この測色・指標表示システム１００は、測色対象のモニタ１０と、測色計２０と、ＰＣ３０とで構成されている。
【００２５】
ここでは、モニタ１０の表示画面１１が測色計２０によって定期的にあるいは不定期に測色される。
【００２６】
モニタ１０の表示画面１１の測色にあたっては、不図示の装置から、Ｒ（赤），Ｇ（緑），Ｂ（青）の３色分のデータからなるＲＧＢデータが、Ｒ，Ｇ，Ｂの各値をＲ，Ｇ，Ｂ＝０〜２５５の範囲内で順次変化させながら、モニタ１０およびＰＣ３０に入力される。すると、モニタ１０の表示画面１１の表示色が、モニタ１０に入力されたＲＧＢデータに応じた色に順次に変化する。測色計２０は、その順次に変化する色を測色し測色データを出力する。ここで用いている測色計２０は、一例として、ＸＹＺ表色系に準拠した測色データを出力する測色計である。
【００２７】
なお、ＸＹＺ表色系以外の表色系、例えばＬ＊ａ＊ｂ＊表色系等に準拠した測色データを出力する測色計も存在するが、それらの表色系は相互に一義的に変換可能であるため、ここでは、ＸＹＺ表色系に準拠した測色データを出力する測色計を用いるものとし説明する。そして、これ以降、この測色計２０から出力される測色データを、ＸＹＺデータと称する。
【００２８】
測色計２０から順次出力されたＸＹＺデータは、ＲＧＢデータの変化に同期してＰＣ３０に入力され、ＰＣ３０内にＲＧＢデータとＸＹＺデータとのペアが蓄積される。
【００２９】
なお、ここでは、不図示の装置からＲＧＢデータが出力されてモニタ１０とＰＣ３０入力される旨、説明したが、ＰＣ３０がＲＧＢデータの出力元となりＰＣ３０から出力したＲＧＢデータをモニタ１０に入力する構成としてもよい。
【００３０】
図２は、ＸＹＺデータの概念図である。
【００３１】
この図２に示すＸＹＺデータ１とＸＹＺデータ２とのうちの一方であるＸＹＺデータ１は、モニタ１０を入手した当初のデータであって、ここでは、このＸＹＺデータ１を基準とし、それ以降、モニタ１０の表示画面１１に再現される色が経時的にどのように変化するかが調べられる。ＸＹＺデータ２は、モニタ１０を入手してから時間が経過したある時点のデータを代表的に示したものである。
【００３２】
ここでは、ＸＹＺデータ１とＸＹＺデータ２を相互に区別するために、ＸＹＺデータ１については「１」の添え字を付して示し、ＸＹＺデータ２については「２」の添え字を付して示す。また、ＸＹＺデータ１とＸＹＺデータ２のいずれにおいても、Ｒ，Ｇ，Ｂのうちの１つでも「２５５」以外の値のＲＧＢデータに対応するＸＹＺデータは、「白以外のデータ」であり、Ｒ，Ｇ，Ｂの全てが「２５５」の値を持つＲＧＢデータに対応するＸＹＺデータは、「白のデータ」である。そこで、ここでは、白のＸＹＺデータについては、「ｗ」の添え字を付して示すこととする。
【００３３】
図３は、本発明の一実施形態としての指標表示プログラムのフローチャートを示した図である。
【００３４】
この指標表示プログラムは、図１に示したＰＣ３０内で実行される。そして、ＰＣ３０は、この指標表示プログラムの実行により、本発明の一実施形態としての指標表示装置として動作する。
【００３５】
この指標表示プログラムは、取得ステップＳ４１と、算出ステップＳ４２と、表示ステップＳ４３とで構成されている。この指標表示プログラムについては、ここでは説明せずに、この後に図４を参照して説明する指標表示装置を説明することで、この指標表示プログラムの説明を兼ねるものとする。
【００３６】
図４は、指標表示装置のブロック図である。
【００３７】
図３に示す指標表示プログラムが図１に示すＰＣ３０内で実行されると、そのＰＣ３０内に、この図４に示す作用を成す指標表示装置が構築される。
【００３８】
この図４に示す指標表示装置５０は、取得部５１と、算出部５２と、表示部５３とから構成されている。
【００３９】
取得部５１は、ＰＣ３０内での、指標表示プログラムの取得ステップＳ４１の実行により実現する機能である。この取得部５１は、図１，図２を参照して説明したようにして、経時的に異なる２つの時点におけるモニタ１０のＸＹＺデータ１とＸＹＺデータ２とを取得する。
【００４０】
また、算出部５２は、ＰＣ３０内での、指標表示プログラムの算出ステップＳ４２の実行により実現する機能である。この算出部５２は、取得したＸＹＺデータ１およびＸＹＺデータ２に基づいて、モニタ１０に表示される、２つの時点それぞれにおける白を代表する第１の指標値と、２つの時点それぞれにおけるカラー色を代表する第２の指標値とを算出する。
【００４１】
さらに、表示部５３は、ＰＣ３０内での、指標表示プログラムの表示ステップＳ４３の実行により実現する機能である。この表示部５３は、第１の指標値を変数とする第１の軸（ここでは縦軸）と第２の指標値を変数とする第２の軸（ここでは横軸）とで表わした２次元図表上に、モニタ１０の、２つの時点それぞれについて算出した第１の指標値と第２の指標値とからなる座標点を示した画像を生成して、ＰＣ３０の表示画面３１上に表示する。
【００４２】
ここで、この表示部５３は、その２次元図表上にさらに、モニタ１０の色再現の許容誤差範囲を表示する。
【００４３】
以下、この指標表示装置５０の具体的な各例について説明する。
（第１例）
この第１例では、算出部５２（図４参照）において、モニタ１０の入手時のＸＹＺデータ１の白データ（Ｘ１ｗ／Ｙ１ｗ／Ｚ１ｗ）をそのＸＹＺデータ１と経時後のＸＹＺデータ２の双方に適用したときのＸＹＺデータ１とＸＹＺデータ２との間の色差が、白を代表する第１の指標値の一例である「色差（相対）」とされる。また、この第１例では、さらに、ＸＹＺデータ１についてはそのＸＹＺデータ１の白データ（Ｘ１ｗ／Ｙ１ｗ／Ｚ１ｗ）を適用するとともにＸＹＺデータ２についてはそのＸＹＺデータ２の白データ（Ｘ２ｗ／Ｙ２ｗ／Ｚ２ｗ）を適用したときのＸＹＺデータ１とＸＹＺデータ２との間の色差が、カラー色を代表する第２の指標値の一例である「色差（絶対）」とされる。
【００４４】
具体的には、以下の通りである。
【００４５】
この第１例の場合、以下に示す２通りの変換式を用いて、ＸＹＺ表色系からＬ＊ａ＊ｂ＊表色系への変換が行われる。そのうちの１つは、ＸＹＺデータ１とＸＹＺデータ２（図２参照）の双方について、ＸＹＺデータ１の白データ、すなわち、Ｘ１ｗ／Ｙ１ｗ／Ｚ１ｗを用いる変換式である。
【００４６】
すなわち、ＸＹＺデータ１に関しては、
【数１】
2018050142.tif 000003
であり、ＸＹＺデータ２に関しては、
【数２】
2018050142.tif 000004
である。
【００４７】
また、２通りの変換式のうちのもう１つは、ＸＹＺデータ１およびＸＹＺデータ２それぞれの白データを用いる変換式である。
【００４８】
すなわち、ＸＹＺデータ１に関しては、上記式（１）と同じく、
【数３】
2018050142.tif 000005
であり、ＸＹＺデータ２に関しては、上記式（２）とは異なり、
【数４】
2018050142.tif 000006
である。
【００４９】
このような変換を行った後、さらに、上記式（１）と式（２）との間の色差と、上記式（３）と式（４）との間の色差を算出する。ここでは、式（１）と式（２）との間の色差を「色差（相対）」と称し、式（３）と式（４）との間の色差を「色差（絶対）」と称する。
【００５０】
すなわち、「色差（相対）」は、上記式（１）と式（２）とを用いて、式
【数５】
2018050142.tif 000007
により算出され、「色差（絶対）」は、上記式（３）と式（４）とを用いて、式
【数６】
2018050142.tif 000008
により算出される。
【００５１】
ただし、Ｘ１／Ｙ１／Ｚ１やＸ２／Ｙ２／Ｚ２は、ＲＧＢデータの変化に伴って変化する変数である。したがって、ここでは式（５），（６）のように略記しているが、「色差（相対）」および「色差（絶対）」としては、色再現域全域の平均の色差が計算される。以下も同様である。
【００５２】
このようにして、これらの「色差（相対）」と「色差（絶対）」を求めた後、「色差（相対）」を縦軸とし、「色差（絶対）」を横軸とする２次元図表上に、
座標点＝（色差（相対），色差（絶対））
を表示する。
【００５３】
図５は、「色差（相対）」を縦軸とし、「色差（絶対）」を横軸とする２次元図表の一例を示した図である。ここでは、ＰＣ３０（図１参照）の表示画面上に、この図５に示す２次元図表が表示される。
【００５４】
ここで、モニタ１０を入手した時点の測色では、
Ｘ１ｗ／Ｙ１ｗ／Ｚ１ｗ＝Ｘ２ｗ／Ｙ２ｗ／Ｚ２ｗ
であり、また白以外の全てのデータについても、
Ｘ１／Ｙ１／Ｚ１＝Ｘ２／Ｙ２／Ｚ２
である。このため、モニタ１０を入手した時点の座標点は、
座標点＝（色差（相対），色差（絶対））＝（０，０）
である。すなわち、その２次元図表の２軸の原点Ｏとなる。
【００５５】
この図５に示す２次元図表の縦軸は、ＸＹＺデータ１とＸＹＺデータ２の双方の変換においてＸＹＺデータ１の白データ（Ｘ１ｗ／Ｙ１ｗ／Ｚ１ｗ）を用いている。このため、「明度」あるいは「輝度」や「色温度」が変化すると、図５に示すように、原点Ｏから座標点Ａ，Ｂのように、「色差（相対）」が敏感に変化する。すなわち、この「色差（相対）」は、白を代表する指標値の１つである。
【００５６】
また、この図５に示す２次元図表の横軸は、ＸＹＺデータ１とＸＹＺデータ２それぞれの変換において、ＸＹＺデータ１とＸＹＺデータ２のそれぞれの白データ（Ｘ１ｗ／Ｙ１ｗ／Ｚ１ｗ），（Ｘ２ｗ／Ｙ２ｗ／Ｚ２ｗ）を用いている。
【００５７】
表示画面上の白については、客観的には、
（Ｘ１ｗ／Ｙ１ｗ／Ｚ１ｗ）≠（Ｘ２ｗ／Ｙ２ｗ／Ｚ２ｗ）
であっても、２つの表示画面を同時に見比べない限り人間の目が順応して同じ白に感じる。このため、青や赤などのカラー色については、その順応した目で見たときの白からの相対的な色が問題となる。そこで、ここでは、カラー色を代表する指標値に１つとして、「色差（絶対）」を用いている。すなわち、青や赤などのカラー色が変化すると、座標点Ｃのように、「色差（絶対）」が敏感に変化する。
【００５８】
座標点Ｄは、「明度」あるいは「輝度」や「色温度」が変化するとともに、青や赤などのカラー色も変化していることを表わしている。
【００５９】
また、この図５の２次元図表には、枠Ｆが示されている。この枠Ｆは、モニタ１０（図１参照）の色再現の許容誤差範囲を示している。すなわち、最新の測色により得られた座標点がこの枠Ｆの内側にあるときは、モニタ１０が十分な色再現性を保っていることを意味している。
【００６０】
ここで、縦軸である「色差（相対）」は、白を代表する指標値であることから、上記式（５）に代わり、上記式（１）と式（２）を用いて、
【数７】
2018050142.tif 000009
の色再現域全域の平均値を採用してもよい。あるいは、縦軸を、明度Ｌ＊とともに色温度を加味した変数の軸としてもよい。
【００６１】
また、これと同様に、横軸である「色差（絶対）」は、カラー色を代表する指標値であることから、上記式（６）に代わり、上記式（３）と式（４）を用いて、
【数８】
2018050142.tif 000010
の色再現域全域の平均値を採用してもよい。
（第２例）
この第２例の場合、算出部５２（図４参照）において、モニタ１０の入手時のＸＹＺデータ１の白データ（Ｘ１ｗ／Ｙ１ｗ／Ｚ１ｗ）をそのＸＹＺデータ１と経時後のＸＹＺデータ２の双方に適用したときのＸＹＺデータ１とＸＹＺデータ２との間の色差が、第１の指標値の一例である「色差（相対）」とされる。この「色差（相対）」については、上述の第１例の場合と同様である。また、この第２例では、さらに、ＸＹＺデータ１についてはそのＸＹＺデータ１の白データ（Ｘ１ｗ／Ｙ１ｗ／Ｚ１ｗ）を適用するとともにＸＹＺデータ２についてはそのＸＹＺデータ２の白データ（Ｘ２ｗ／Ｙ２ｗ／Ｚ２ｗ）を適用したときのＸＹＺデータ１とＸＹＺデータ２との間の「特定の色の色差」が、第２の指標値の一例である「特定の色の色差（絶対）」とされる。
【００６２】
具体的には、以下の通りである。なお、ここでは、「特定の色の色差（絶対）」の一例として、「赤の色差（絶対）」を取り上げて説明する。「緑の色差（絶対）」および「青の色差（絶対）」についても、「赤の色差（絶対）」と同様に算出される。
【００６３】
この第２例の場合も、上述の第１例と同様、以下に示す２通りの変換式を用いて、ＸＹＺ表色系からＬ＊ａ＊ｂ＊表色系への変換が行われる。そのうちの１つは、上述の第１例で用いた変換式と同一の変換式であって、ＸＹＺデータ１とＸＹＺデータ２（図２参照）の双方について、ＸＹＺデータ１の白データ、すなわち、Ｘ１ｗ／Ｙ１ｗ／Ｚ１ｗを用いる変換式である。
【００６４】
すなわち、ＸＹＺデータ１に関しては、
【数９】
2018050142.tif 000011
であり、ＸＹＺデータ２に関しては、
【数１０】
2018050142.tif 000012
である。
【００６５】
また、２通りの変換式のうちのもう１つは、ＸＹＺデータ１およびＸＹＺデータ２それぞれの白データを用いる変換式である。それぞれの白データを用いる点では上述の第１例と同様であるが、ここでは、白以外のデータ（Ｘ１／Ｙ１／Ｚ１），（Ｘ２／Ｙ２／Ｚ２）としては、赤の領域のデータ（Ｘ１Ｒ／Ｙ１Ｒ／Ｚ１Ｒ），（Ｘ２Ｒ／Ｙ２Ｒ／Ｚ２Ｒ）のみが用いられる。本実施形態では、赤の領域のデータ（Ｘ１Ｒ／Ｙ１Ｒ／Ｚ１Ｒ），（Ｘ２Ｒ／Ｙ２Ｒ／Ｚ２Ｒ）は、モニタ１０への入力信号であるＲＧＢデータの、Ｒ＝０〜２５５、Ｇ＝Ｂ＝０に対応するＸＹＺデータの集合である。
【００６６】
ここでは、ＸＹＺデータ１に関しては、
【数１１】
2018050142.tif 000013
であり、ＸＹＺデータ２に関しては、
【数１２】
2018050142.tif 000014
である。
【００６７】
このような変換を行った後、さらに、上記式（７）と式（８）との間の色差と、上記式（９）と式（１０）との間の色差を算出する。ここでは、式（７）と式（８）との間の色差を、第１例の場合と同じく「色差（相対）」と称し、式（９）と式（１０）との間の色差については「赤の色差（絶対）」と称する。
【００６８】
すなわち「色差（相対）」は、上記式（７）と式（８）とを用いて、式
【数１３】
2018050142.tif 000015
により算出され、「赤の色差（絶対）」は、上記式（９）と式（１０）とを用いて、式
【数１４】
2018050142.tif 000016
により算出される。
【００６９】
ただし、Ｘ１／Ｙ１／Ｚ１やＸ２／Ｙ２／Ｚ２は、ＲＧＢデータの変化に伴って変化する変数である。したがって、ここでは「色差（相対）」について式（１１）のように略記しているが、「色差（相対）」としては、色再現域全域の平均の色差が計算される。また、これと同様に、赤の領域のＸＹＺデータ（Ｘ１Ｒ／Ｙ１Ｒ／Ｚ１Ｒ），（Ｘ２Ｒ／Ｙ２Ｒ／Ｚ２Ｒ）は、Ｒ＝０〜２５５、Ｇ＝Ｂ＝０に対応する範囲内のＸＹＺデータの集合であり、「赤の色差（絶対）」としては、その範囲内の平均の色差が計算される。以下も同様である。
【００７０】
このようにして、これらの「色差（相対）」と「赤の色差（絶対）」を求めた後、「色差（相対）」を縦軸とし、「赤の色差（絶対）」を横軸とする２次元図表上に、
座標点＝（色差（相対），赤の色差（絶対））
を表示する。
【００７１】
図６は、「色差（相対）」を縦軸とし、「赤の色差（絶対）」を横軸とする２次元図表の一例を示した図である。ここでは、ＰＣ３０（図１参照）の表示画面上に、この図６に示す２次元図表が表示される。
【００７２】
ここで、第１例でも説明した通り、モニタ１０を入手した時点の測色では、
Ｘ１ｗ／Ｙ１ｗ／Ｚ１ｗ＝Ｘ２ｗ／Ｙ２ｗ／Ｚ２ｗ
であり、また白以外の全てのデータについても、
Ｘ１／Ｙ１／Ｚ１＝Ｘ２／Ｙ２／Ｚ２
である。このため、モニタ１０を入手した時点の座標点は、
座標点＝（色差（相対），赤の色差（絶対））＝（０，０）
である。すなわち、その２次元図表の２軸の原点となる。
【００７３】
この図６に示す２次元図表の縦軸は、ＸＹＺデータ１とＸＹＺデータ２の双方の変換においてＸＹＺデータ１の白データ（Ｘ１ｗ／Ｙ１ｗ／Ｚ１ｗ）を用いている。このため、「明度」あるいは「輝度」や「色温度」が変化すると、原点Ｏから座標点Ａ，Ｂのように、「色差（相対）」が敏感に変化する。したがって、この「色差（相対）」は、白を代表する指標値の１つである。また、この図６に示す２次元図表の横軸は、ＸＹＺデータ１とＸＹＺデータ２それぞれの変換において、ＸＹＺデータ１とＸＹＺデータ２のそれぞれの白データ（Ｘ１ｗ／Ｙ１ｗ／Ｚ１ｗ），（Ｘ２ｗ／Ｙ２ｗ／Ｚ２ｗ）を用いている。また、この横軸に関しては、赤のＸＹＺデータのみを用いている。このため、白について順応した目で見たときに赤色が変化していると、座標点Ｃのように、「赤の色差（絶対）」が敏感に変化する。したがって、この「赤の色差（絶対）」は、カラー色を代表する指標値の１つである。座標点Ｄは、「明度」あるいは「輝度」や「色温度」が変化するとともに、さらに赤色も変化していることを表わしている。ここでは、「赤の色差（絶対）」を横軸としていることから、赤の変化に関しては、上述の第１例よりも、この２次元図表上に敏感にあらわれる。
【００７４】
また、この図６の２次元図表には、枠Ｆが示されている。この枠Ｆは、上述の第１例の場合と同様、モニタ１０（図１参照）の色再現の許容誤差範囲を示している。すなわち、最新の測色により得られた座標点がこの枠Ｆの内側にあるときは、モニタ１０が十分な色再現性を保っていることを意味している。ただし、ここでは、カラー色については赤色のみ評価しているため、緑や青について十分な色再現性が保たれているか否かは、この図６に示す２次元図表からは不明である。
【００７５】
緑や青について色再現性を評価するときは、上記と同様にして「緑の色差（絶対）」や「青の色差（絶対）」を算出して、図６と同様の２次元図表を作成する。こうすることにより、緑や青についても十分な色再現性が保たれているか否かを知ることができる。
【００７６】
また、これも上述の第１例と同様に、縦軸である「色差（相対）」は、上記式（１１）に代わり、式（７）と式（８）を用いて、
【数１５】
2018050142.tif 000017
の色再現域全域の平均値を採用してもよい。あるいは、縦軸を、明度Ｌ＊とともに白の色温度を加味した変数の軸としてもよい。
【００７７】
また、これと同様に、横軸である「赤の色差（絶対）」は、上記式（１２）に代わり、式（９）と式（１０）を用いて、
【数１６】
2018050142.tif 000018
の赤の領域内の平均値を採用してもよい。
【００７８】
なお、ここでは、モニタ１０への入力データであるＲＧＢデータ（図１参照）と対応づけて、Ｒ＝０〜２５５、Ｇ＝Ｂ＝０の範囲に対応するＸＹＺデータが赤の領域のＸＹＺデータ（Ｘ１Ｒ／Ｙ１Ｒ／Ｚ１Ｒ），（Ｘ２Ｒ／Ｙ２Ｒ／Ｚ２Ｒ）であるとして説明したが、モニタ１０への入力データと直接に対応づけることで赤の領域のデータであるか否かを決めるのではなく、表色系において赤の領域を定義し、その定義された赤の領域内に存在するデータを赤のデータとしてもよい。
（第３例）
上述の第１例および第２例の場合は、その一部の演算において、ＸＹＺデータ１からのＬ＊ａ＊ｂ＊への変換とＸＹＺデータ２からのＬ＊ａ＊ｂ＊への変換との双方についてＸＹＺデータ１の白データ（Ｘ１ｗ／Ｙ１ｗ／Ｚ１ｗ）を用いている。すなわち、上述の第１例および第２例の場合は、ＸＹＺデータ１とＸＹＺデータ２は互いに独立には演算されていない。
【００７９】
これに対し、以下に説明する第３例の場合、算出部５２は、ＸＹＺデータ１とＸＹＺデータ２とを独立に用いて、白の明るさを第１の指標値とするとともに、ＸＹＺ表色系におけるＸおよびＺを変数として含む関数値を第２の指標値とする。
【００８０】
この第３例では、具体的には、Ｒ／Ｇ／Ｂ＝２５５／２５５／２５５のときのＸＹＺデータ（白データ）である（Ｘｗ／Ｙｗ／Ｚｗ）のうちの輝度を表わすＹｗを、白を代表する第１の指標値として採用する。そして、カラーバランスを表わす、ＸｗとＺｗとの比率Ｘｗ／Ｚｗを、カラー色を代表する第２の指標値として採用する。
【００８１】
図７は、輝度Ｙｗを縦軸とし、カラーバランスＸｗ／Ｚｗを横軸とする２次元図表の一例を示した図である。
【００８２】
座標点Ｏは、モニタ１０を入手した時点での測色を基にして算出した初期座標点である。
【００８３】
これに対し、座標点Ａは、座標点Ｏよりも縦軸方向にずれている。これは、輝度Ｙｗが変化したことを意味している。
【００８４】
また、座標点Ｂは、座標点Ｏよりも横軸方向にずれている。これは、輝度Ｙｗは変化していないが、カラーバランスが崩れてきていることを意味している。
【００８５】
さらに、座標点Ｃは、座標点Ｏと比べ、縦軸方向にも横軸方向にもずれている。これは、輝度Ｙｗが変化するとともにカラーバランスも崩れていることを意味している。
【００８６】
この図７の２次元図表には、上述の第１例および第２例における２次元図表（図５，図６参照）と同様に、枠Ｆが示されている。この枠Ｆは、モニタ１０（図１参照）の色再現の許容誤差範囲を示している。すなわち最新の測色により得られた座標点がこの枠Ｆの内側にあるときは、モニタ１０が十分な色再現性を保っていることを示している。一方、座標点Ｃのようにこの枠Ｆから外れているときは、再度の色校正（カラーマネジメント）を行なうことが勧められる。
【００８７】
なお、ここでは、輝度Ｙｗを縦軸としているが、輝度Ｙｗに代えて、
【数１７】
2018050142.tif 000019
を採用してもよい。あるいは、
【数１８】
2018050142.tif 000020
と色温度との双方を変数とする関数により算出される値を、白を代表する第１の指標値（ここでは縦軸）としてもよい。
【００８８】
また、ここでは、カラーバランスＸｗ／Ｚｗを横軸としているが、その逆比であるＺｗ／Ｘｗを横軸としてもよく、Ｘｗ／Ｚｗ若しくはＺｗ／Ｘｗ以外の、Ｘｗ／Ｚｗ若しくはＺｗ／Ｘｗを変数として含む関数値を横軸としてもよい。あるいは、さらに広く、ＸｗとＺｗを変数として含む関数値を横軸としてもよい。
【００８９】
（第４例）
この第４例は、算出部５２（図４参照）において、モニタ１０の初期の状態の明度を基準としたときの、その初期の状態および経時後の状態の「明度（相対）」が、白を代表する第１の指標値とされる。また、この第４例では、さらに、前述の第１例における「色差（絶対）」が、カラー色を代表とする第２の指標値とされる。
【００９０】
すなわち、ここでは、第１の指標値として、
【数１９】
2018050142.tif 000021
【００９１】
【数２０】
2018050142.tif 000022
である。
【００９２】
また、第２の指標値としては、前述の第１例における式（３），（４），（６）が用いられて「色差（絶対）」が算出される。
【００９３】
図８は、「明度（相対）」を縦軸とし「色差（絶対）」を横軸とした２次元図表を示した図である。
【００９４】
座標点Ｏは、モニタ１０を入手した時点で測色して算出した初期座標点である。
【００９５】
座標点Ａは、座標点Ｏよりも縦軸方向に下がった位置にある。これは、「明度（相対）」、すなわち白の明るさが下がったことを意味している。
【００９６】
また、座標点Ｂは、座標点Ｏよりも横軸方向にずれている。これは、白の明るさは変化していないが、色バランスが崩れていることを意味している。
【００９７】
さらに、座標点Ｃは、座標点Ｏと比べ、縦軸方向と横軸方向との双方にずれている。これは、白の明るさが変化し、かつ、色バランスも崩れていることを意味している。
【００９８】
また、この図８の２次元図表には、上述の第１例〜第３例における２次元図表（図５〜図７参照）と同様に、枠Ｆが示されている。この枠Ｆは、モニタ１０（図１参照）の色再現の許容誤差範囲を示している。すなわち最新の測色により得られた座標点がこの枠Ｆの内側にあるときは、モニタ１０が十分な色再現性を保っていることを示している。一方、座標点Ｃのようにこの枠Ｆから外れているときは、再度の色校正（カラーマネジメント）を行なうことが勧められる。
【００９９】
なお、ここでは、「明度（相対）」を縦軸としているが、「明度（相対）」に代えて、第３例のように、白を代表する第１の指標値（縦軸）として輝度Ｙｗを採用してもよい。あるいは、
【数２１】
2018050142.tif 000023
と色温度との双方を変数とする関数により算出される値を、白を代表する第１の指標値（縦軸）としてもよい。
【０１００】
また、横軸についても、「色差（絶対）」に代えて、第２例で説明した「特定の色の色差（絶対）」を採用してもよい。
【０１０１】
このように、上述の各例では、白を代表する第１の指標値を縦軸としカラー色を代表する第２の指標値を横軸として、モニタ１０の色再現性を２次元図表として表示している。このため、上述の各例によれば、「輝度」あるいは「明度」、「色温度」、「色差」といった、表示画像の色を表現するパラメータを直接に提示するよりも、一般のユーザにとって色の変化が分かり易い表示が行われる。また、上述の各例では、２次元図表上に、良好な色再現性が保たれている範囲を示す枠Ｆを示している。このため、上述の各例では、一般のユーザにとってさらに分かり易い表示となっている。
【０１０２】
なお、ここでは、１台のモニタ１０の表示画面１１の経時的な変化を取り上げて説明したが、複数台のモニタ１０の表示画面１１の色を相互に比較する場合にも、本発明をそのまま適用することができる。
【０１０３】
（第５例）
上述の第１例から第４例の場合は、その算出部５２（図４参照）において、モニター１０の入手時のＸＹＺデータ１および経時後のＸＹＺデータ２の測定データを用いている。
これに対し、以下に説明する第５例の場合、ｓＲＧＢ  Ｃｏｌｏｒ  Ｓｐａｃｅ（ＩＥＣ  ６１９６６−２−１）に代表されるモニター標準色空間で規定されるＸＹＺデータ３を用いる。
この第５例では、算出部５２（図４参照）において、ｓＲＧＢ  Ｃｏｌｏｒ  Ｓｐａｃｅ（ＩＥＣ  ６１９６６−２−１）に代表されるモニター標準色空間で規定されるＸＹＺデータ３（基準値）の白データ（Ｘ３ｗ／Ｙ３ｗ／Ｚ３ｗ）をそのＸＹＺデータ３と、モニタ１０の入手時のＸＹＺデータ１または経時後のＸＹＺデータ２の双方に適用したときのＸＹＺデータ３と、ＸＹＺデータ１またはＸＹＺデータ２との間の色差が、白を代表する第１の指標値の一例である「色差（相対）」とされる。また、ＸＹＺデータ３についてはそのＸＹＺデータ３の白データ（Ｘ３ｗ／Ｙ３ｗ／Ｚ３ｗ）を適用するとともにＸＹＺデータ１についてはそのＸＹＺデータ１、ＸＹＺデータ２についてはそのＸＹＺデータ２の白データ（Ｘ１ｗ／Ｙ１ｗ／Ｚ１ｗまたはＸ２ｗ／Ｙ２ｗ／Ｚ２ｗ）を適用したときのＸＹＺデータ３と、ＸＹＺデータ１またはＸＹＺデータ２との間の色差が、カラー色を代表する第２の指標値の一例である「色差（絶対）」とされる。
【符号の説明】
【０１０４】
１０    モニタ
１１    表示画面
２０    色度計
３０    パーソナルコンピュータ（ＰＣ）
３１    表示画面
５０    指標表示装置
５１    取得部
５２    算出部
５３    表示部
１００  測色・指標表示システム
【図１】
2018050142.tif 000024
【図２】
2018050142.tif 000025
【図３】
2018050142.tif 000026
【図４】
2018050142.tif 000027
【図５】
2018050142.tif 000028
【図６】
2018050142.tif 000029
【図７】
2018050142.tif 000030
【図８】
2018050142.tif 000031